(57)【要約】【課題】トラス下空間内への入り込みやトラス下空間内の往来を容易に行うことができるエスカレータを得ることを目的とする。【解決手段】トラス４と、踏段鎖１８の走行に連動して循環移動する踏段２０と、トラス４の底部を覆って上部機械室１５から下部機械室１２に至るように延設されたオイルパン２４と、トラス４の下方に延出するようにトラス４の両側部に取り付けられた一対の外側板と、外側板９に支持され、オイルパン２４、上部機械室床１６、及び下部機械室床１３との間にトラス下空間２６を形成する化粧板２５と、を備えるエスカレータ１において、トラス下空間２６に開口するように上部機械室床１６及び下部機械室床１３のそれぞれにそれぞれ形成された上部点検口及び下部点検口３１ｂと、上部機械室１５の下部から下部機械室１２の下部に至るようにトラス下空間２６に延設された階段３３と、を備えている。【選択図】図２
2009227386.tif 000002
【特許請求の範囲】
【請求項１】
上下階床間に架設されたトラスと、該トラスの上下階側のそれぞれに設置された上部機械室及び下部機械室と、該上部機械室及び該下部機械室のそれぞれに配設された一対のスプロケットに掛け渡された無端状の踏段鎖と、該踏段鎖に連結され、該踏段鎖の走行に連動して循環移動する踏段と、上記トラスの底部を覆って上記上部機械室から上記下部機械室に至るように延設されたオイルパンと、上記トラスの両側開口を閉口して、該トラスの下方に延出するように該トラスの両側部に取り付けられた一対の外側板と、上記オイルパン、上部機械室床、及び下部機械室床のそれぞれの下面と相対するように上記外側板に支持され、該オイルパン、該上部機械室床、及び該下部機械室床との間に上記上部機械室の下部から上記下部機械室の下部に至るトラス下空間を形成する化粧板と、を備えるエスカレータにおいて、
上記トラス下空間に開口するように上部機械室床及び下部機械室床のそれぞれにそれぞれ形成された上部点検口及び下部点検口と、
上記上部機械室の下部から上記下部機械室の下部に至るように上記トラス下空間に延設された足場手段と、
を備えることを特徴とするエスカレータ。
【請求項２】
上記足場手段は、上記化粧板の裏面に配設された階段であることを特徴とする請求項１記載のエスカレータ。
【請求項３】
上記足場手段は、上記トラス下空間内に延出するように上記トラスの延在方向に間隔をあけて該トラスに複数支持された足場支持部材に支持されて、上記上部点検口の真下から上記下部点検口の真下に至るように架設されたはしごであることを特徴とする請求項１記載のエスカレータ。
【発明の詳細な説明】
【技術分野】
【０００１】
この発明はトラス下部と外装下部を構成する化粧板との間に空間を有するエスカレータに関する。
【背景技術】
【０００２】
従来のエスカレータは、エスカレータ本体内に多数の踏段を上下階側の各踏段スプロケット間に巻き掛けた左右一対の踏段チェーンに掛止めして無端コンベア状に配列しているとともに、このエスカレータ本体内の上階側部には上階側の踏段スプロケットを介して踏段チェーンと共に踏段を循環走行せしめる駆動機器が設けられている。また、エスカレータ本体は、トラスと称されるフレームと、この周側面に取り付けられた外側板と、当該トラスの底面に取り付けられたオイルパンなどにより中空体状に構成されている（例えば、特許文献１参照）。
【０００３】
【特許文献１】特開平４−２０４９７号公報
【発明の開示】
【発明が解決しようとする課題】
【０００４】
特許文献１には具体的には記載されていないが、従来のエスカレータは、化粧板がオイルパンの下方にオイルパンの下面と所定の間隔をあけて相対するように、トラスの下方に延出させた外側板間に固定されて外装下部を構成するのが一般的である。つまり、トラスの延在方向に沿った空間が、化粧板、外側板、及びオイルパンによりトラス下部に形成されている。
【０００５】
オイルパンは、踏段チェーンなどに供給されたオイルが滴り落ちた場合の受け皿となっている。しかし、オイルがオイルパンの継ぎ目などから漏れ出して化粧板に滴り落ち、さらに化粧板の表面に滲みでると、オイルの放つ異臭がフロアに漂って乗客に不快感を与える。
【０００６】
そして、保守者がオイル漏れの対処を行うためには、トラス内に設けられた機械室の床を外してトラス下部の空間内に入り込まなければならない。このとき、機械室の床は重く、多大な労力が床の取り外し作業に必要となる。さらに、トラス下部の空間内での保守者の作業は、傾斜している平らな化粧板の裏面が足場となるため、当該空間内を往来することは容易ではない。
また、化粧板を取り外してオイル漏れの対処を行う方法も考えられるが、この場合も、多大な労力が化粧板の取り外し作業に必要となる。
つまり、保守者はトラス下部の空間内で発生したオイル漏れ等のトラブルに対して迅速な対処ができない。
【０００７】
この発明は、上記の問題を解決するためになされたものであり、トラス下空間内への入り込みやトラス下空間内の往来を容易に行うことができるエスカレータを得ることを目的とする。
【課題を解決するための手段】
【０００８】
この発明は、上下階床間に架設されたトラスと、トラスの上下階側のそれぞれに設置された上部機械室及び下部機械室と、上部機械室及び下部機械室のそれぞれに配設された一対のスプロケットに掛け渡された無端状の踏段鎖と、踏段鎖に連結され、踏段鎖の走行に連動して循環移動する踏段と、トラスの底部を覆って上部機械室から下部機械室に至るように延設されたオイルパンと、トラスの両側開口を閉口して、トラスの下方に延出するようにトラスの両側部に取り付けられた一対の外側板と、オイルパン、上部機械室床、及び下部機械室床のそれぞれの下面と相対するように外側板に支持され、オイルパン、上部機械室床、及び下部機械室床との間に上部機械室の下部から下部機械室の下部に至るトラス下空間を形成する化粧板と、を備えるエスカレータにおいて、トラス下空間に開口するように上部機械室床及び下部機械室床のそれぞれにそれぞれ形成された上部点検口及び下部点検口と、上部機械室の下部から下部機械室の下部に至るようにトラス下空間に延設された足場手段と、を備えている。
【発明の効果】
【０００９】
この発明によれば、保守者がトラス下空間内の往来を容易に行えるので、トラス下空間内で発生したトラブルに対して迅速に対処できる。
【発明を実施するための最良の形態】
【００１０】
以下、この発明を実施するための最良の形態について、図面を参照して説明する。
実施の形態１．
図１はこの発明の実施の形態１に係るエスカレータの模式図、図２はこの発明の実施の形態１に係るエスカレータの一部破断斜視図である。
なお、説明の便宜上、図１では外側板、及び側梁の図示を省略している。
【００１１】
図１及び図２において、エスカレータ１は、下階側に設けられた乗り口２から上階側に設けられた降り口３に至るように上下階床間に架設されたトラス４と、トラス４の上下階側のそれぞれに設置された上部機械室１５及び下部機械室１２と、上部機械室１５に配設された上階側スプロケット１４と、下部機械室１２に配設された下階側スプロケット１９と、駆動機２２と、駆動機２２の出力を上階側スプロケット１４に伝達する駆動鎖２３と、を備えている。なお、上階側スプロケット１４及び下階側スプロケット１９をまとめて一対のスプロケット１４，１９とする。
【００１２】
さらに、エスカレータ１は、無端状をなし、一対のスプロケット１４，１９に巻き掛けられた踏段鎖１８と、踏段鎖１８に連結され、踏段鎖１８の走行に連動して循環移動する多数の踏段２０と、エスカレータ１の運転全般を制御するエスカレータ制御盤２１と、トラス４の底部に取り付けられたオイルパン２４と、トラス４の両側開口を閉口して、トラス４の下方に延出するようにトラス４の両側部に取り付けられた一対の外側板９と、オイルパン２４の下面と相対するように配設された化粧板２５と、オイルパン２４と化粧板２５との間の空間の往来を補助する階床間移動補助手段３０Ａと、を備えている。
【００１３】
そして、上階側スプロケット１４は、駆動鎖２３を介して伝達される駆動機２２の駆動力により回転するように配設され、踏段２０は、上階側スプロケット１４の回転に連動して循環移動する踏段鎖１８とともに乗り口２と降り口３との間を循環移動する。このとき、詳細には説明しないが、手摺１０も踏段鎖１８の循環移動に連動して循環移動するようになっている。
【００１４】
トラス４はそれぞれ型鋼を主とする一対の下弦材５、一対の上弦材６、側梁７、及び横梁８などから中空体に構成されている。一対の下弦材５は、踏段２０の幅方向両側に踏段２０の走行方向に沿って乗り口２の下部から降り口３の下部に至るように延設されている。また、一対の上弦材６は、一対の下弦材５のそれぞれから鉛直方向の上方に所定の間隔を空けて延設されている。
【００１５】
そして、詳細には図示しないが、横梁８が一対の下弦材５、及び一対の上弦材６の間を掛け渡すように固定されている。このとき、横梁８は、その長手方向を一対の下弦材５、及び一対の上弦材６のそれぞれの離間方向に一致させ、かつ、下弦材５及び上弦材の延在方向に所定の間隔で配設されている。また、複数の側梁７が、図２に示されるように、踏段２０の幅方向の一側の下弦材５及び上弦材６の間を掛け渡すように配設されている。さらに、図示しないが、側梁は、踏段２０の幅方向の他側の下弦材５及び上弦材６を掛け渡すように配設されている。このとき、トラス４の踏段２０の幅方向の両側（両側部）は開口している。
【００１６】
そして、オイルパン２４が、一対の下弦材５の間を覆って、上部機械室１５から下部機械室１２に至るように延設されている。即ち、オイルパン２４は、トラス４の底部を覆うように一対の下弦材５に固定されている。このとき、オイルパン２４は、トラス４の延在方向に隙間なく複数配列されている。オイルパン２４は、踏段鎖１８などに供給されたオイルが滴り落ちたときの受け皿となっている。
【００１７】
また、外側板９が、踏段２０の幅方向の一側の下弦材５及び上弦材６の間、並びに他側の下弦材５及び上弦材６の間を覆うように下弦材５及び上弦材６に支持されている。
このとき、外側板９の下端側は、トラス４の下部からさらに下方に延在している。
即ち、外側板は、トラス４の両側開口を閉口して、トラス４の下方に延出するようにトラス４の両側部に取り付けられている。
【００１８】
また、乗り口２の床２７ａ及び降り口３の床２７ｂが、上弦材６の両端側のそれぞれに支持されている。さらに、上部機械室床１６、及び下部機械室床１３のそれぞれが、床２７ｂ,２７ａの下方に所定の間隔をあけて下弦材５の両端側のそれぞれに支持されている。
【００１９】
そして、複数の化粧板２５のそれぞれが、外側板９の下端間に支持されて外装下部を構成している。このとき、化粧板２５は、オイルパン２４、上部機械室床１６、及び下部機械室床１３のそれぞれの下面と所定の間隔をあけて相対するように、トラス４の延在方向に隙間なく配列されている。
つまり、化粧板２５は、オイルパン２４、上部機械室床１６、及び下部機械室床１３との間に上部機械室１５の下部から下部機械室１２の下部に至るトラス下空間２６を形成するように外側板９に取り付けられている。なお、トラス下空間２６には、化粧板２５に取り付けられる照明器具（図示せず）などの電気配線（図示せず）などが引き回されている。
【００２０】
また、上部機械室１５、及び下部機械室１２は、床２７ｂと上部機械室床１６との間、及び床２７ａと下部機械室床１３との間に形成されている。そして、上階側スプロケット１４及び下階側スプロケット１９のそれぞれは、トラス４の上階側の端部（トラスエンド４ａ）及び下階側の端部（トラスエンド４ｂ）のそれぞれからトラス４の延在方向のやや中間よりのトラス４の内部に配設されている。このとき、オイルパン２４の両端部は、上部機械室床１６、及び下部機械室床１３上に配置されているが、上部機械室床１６及び下部機械室床１３のトラスエンド４ａ,４ｂ側は、オイルパン２４から露出している。
【００２１】
次いで、階床間移動補助手段３０Ａについて説明する。
階床間移動補助手段３０Ａは、上部機械室床１６に形成された上部点検口３１ａ並びに下部機械室床１３に形成された下部点検口３１ｂ、上部点検口３１ａ及び下部点検口３１ｂを開閉自在に上部機械室床１６及び下部機械室床１３のそれぞれに設けられた点検口蓋３２、及び化粧板２５のトラス下空間２６側の面（裏面）に配設された足場手段としての階段３３を有している。
【００２２】
上部点検口３１ａ、及び下部点検口３１ｂ及びのそれぞれは、オイルパン２４から露出している上部機械室床１６及び下部機械室床１３のそれぞれの部位に形成されている。このとき、上部点検口３１ａ及び下部点検口３１ｂの大きさは、エスカレータ１の保守者が出入りできる程度の適度な大きさに形成されている。
【００２３】
そして、点検口蓋３２は、図２に示されるように、蝶番３５を用いて上部点検口３１ａ及び下部点検口３１ｂを開閉自在に上部機械室床１６及び下部機械室床１３のそれぞれに配設されている。
また、階段３３が、トラス下空間２６内に配置される化粧板２５の裏面のうち、下階側と上階側との間の傾斜部を構成する部位に配設され、上部機械室１５の下部から下部機械室１２の下部に至るように延設されている。
【００２４】
この実施の形態１によれば、上部点検口３１ａ及び下部点検口３１ｂが、上部機械室床１６及び下部機械室床１３にトラス下空間２６に開口するように形成され、さらに、階段３３が上部機械室１５の下部から下部機械室１２の下部に至るように延設されている。また、点検口蓋３２は、蝶番３５を用いて上部点検口３１ａ及び下部点検口３１ｂを開閉自在に上部機械室床１６及び下部機械室床１３に設置されている。
従って、保守者は上部点検口３１ａ及び下部点検口３１ｂの塞口を簡単に解除することができ、上部点検口３１ａ及び下部点検口３１ｂのいずれかから容易にトラス下空間２６内に入り込むことができる。また、保守者は階段３３を上り下りするだけでトラス下空間２６内の往来を容易に行うことができる。つまり、保守者は、容易にトラス下空間２６内で発生したオイル漏れや電気配線の不具合等のトラブルの状況を間近で確認可能となり、当該トラブルに対して迅速に対処することができる。
【００２５】
なお、足場手段は階段３３であるものとして限定したが、足場手段は階段３３に限定する必要はなく、足場手段としての架設はしごを上部機械室１５の下部から下部機械室１２の下部に至るように、化粧板２５の裏面に架設してもよい。
【００２６】
実施の形態２．
図３はこの発明の実施の形態２に係るエスカレータの一部破断斜視図である。
なお、図３において、上記実施の形態１と同一又は相当部分には同一符号を付し、その説明は省略する。
【００２７】
図３において、エスカレータ１の階床間移動補助手段３０Ｂは、下部機械室床１３及び上部機械室床１６のそれぞれに形成された上部点検口（図示せず）及び下部点検口３１ｂ、上部点検口及び下部点検口３１ｂのそれぞれを開閉自在に上部機械室床１６及び下部機械室床１３のそれぞれに配設された点検口蓋３２、下弦材５から下方に延出するように、かつ下弦材５の延在方向に所定の間隔で配設された足場支持部材３４、及び足場支持部材３４に支持された足場手段としてのはしご３５を有している。
【００２８】
足場支持部材３４のそれぞれは、コ字状に形成されている。そして、足場支持部材３４は、コ字状の底を構成する底辺３４ａの長さ方向を下弦材５の離間方向に一致させ、かつ、コ字状の開口をオイルパン２４の下面に向けて一対の下弦材５のそれぞれに固定されている。このとき、底辺３４ａは化粧板２５から所定距離上方に離間して配置されている。そして、はしご３５は、その一端が上部点検口の真下に配置され、他端が下部点検口３１ｂの真下に配置されるように底辺３４ａに固定されている。つまり、はしご３５は、上部点検口の真下から下部点検口３１ｂの真下に至るように足場手段支持部材に支持されて延在している。
【００２９】
この実施の形態２によれば、保守者は、はしご３５を利用してトラス下空間２６内を容易に往来できる。このとき、はしご３５はトラス４の下弦材５に支持された足場支持部材３４に固定されている。従って、保守者は、化粧板２５に自身の荷重をかけることなく、トラス下空間２６内を往来できる。このため、化粧板２５は、厚さの薄い軽量のものを用いることができる。従って、トラス下空間２６内で発生したオイル漏れや電気配線の不具合等のトラブルに対して迅速に対処することができるとともに、エスカレータ１の設置時に化粧板２５の運びこみや取付けに要する労力の増大を抑制できる。
【図面の簡単な説明】
【００３０】
【図１】この発明の実施の形態１に係るエスカレータの模式図である。
【図２】この発明の実施の形態１に係るエスカレータの一部破断斜視図である。図である。
【図３】この発明の実施の形態２に係るエスカレータの一部破断斜視図である。
【符号の説明】
【００３１】
１  エスカレータ、４  トラス、９  外側板、１２  下部機械室、１３  下部機械室床、１５  上部機械室、１６  上部機械室床、１４  上階側スプロケット（スプロケット）、１８  踏段鎖、１９  下階側スプロケット（スプロケット）、２０  踏段、２４  オイルパン、２５  化粧板、２６  トラス下空間、３１ａ  上部点検口、３１ｂ  下部点検口、３３  階段（足場手段）、３４  足場支持部材、３５  はしご（足場手段）。
【図１】
2009227386.tif 000003
【図２】
2009227386.tif 000004
【図３】
2009227386.tif 000005